(57)【要約】【課題】冷凍室内に液体をこぼした場合でも、戻り空気の流れを妨害しにくく、冷却効率の低下を抑制することができる冷却庫を提供する【解決手段】内部空間を上段の冷凍室Ｒ１と下段の冷蔵室Ｒ２との２つの空間に分割する断熱壁部４と、冷凍室Ｒ１の奥側に設けられた冷却器収納室Ｒ３と、前記断熱壁部に形成されている冷凍戻りダクト４４とを備え、冷凍戻りダクト４４は手前側の端部に前記断熱壁部４の上面に開口した流入口４４１を備えており、冷凍戻りダクト４４の底面の少なくとも前記流入口の下部が奥側に向かって下がるように傾斜している冷却庫Ｒｆ。【選択図】図３
2015161450.tif 000002
【特許請求の範囲】
【請求項１】
物品を低温保存する冷却庫であって、
内部空間を上段の冷凍室と下段の冷蔵室との２つの空間に分割する断熱壁部と、
前記冷凍室の奥側に設けられるとともに冷却器を収納する冷却器収納室と、
前記断熱壁部に形成されているとともに手前側から奥側に伸び前記冷凍室を冷却した空気を前記冷却器収納室に戻す冷凍戻りダクトとを備え、
前記冷凍戻りダクトは手前側の端部に前記断熱壁部の上面に開口した流入口を備えており、
前記冷凍戻りダクトの底面の少なくとも前記流入口の下部が奥側に向かって下がるように傾斜していることを特徴とする冷却庫。
【請求項２】
前記冷凍戻りダクトの深さが前記流入口の奥行方向の長さと同じかそれより大きいものであり、
前記冷凍戻りダクトの底面の前記流入口の下部は、前記流入口の前記冷却器収納室側の端部を中心として、前記流入口の前記冷凍戻りダクト奥行方向の長さを半径とした切断円管形状の曲面部を有している請求項１に記載の冷却庫。
【請求項３】
前記冷凍戻りダクトの前記流入口の下部は、平面状に形成された平面傾斜部を有している請求項１又は請求項２に記載の冷却庫。
【請求項４】
前記流入口には、複数のフィンが奥行方向に並んで配置されており、
前記複数のフィンのうち、最も奥のフィンの下端部と前記最も奥のフィンの一つ手前のフィンの上端部とを結んだ面と前記冷凍戻りダクトの底面とが交差する部分が前記流入口の奥行方向の端部より奥まで到達しているとき、前記冷凍戻りダクトの底面は最も奥のフィンの下端部と前記最も奥のフィンの一つ手前のフィンの上端部とを結んだ面と前記冷凍戻りダクトの底面とが交差する部分まで傾斜している請求項１から請求項３のいずれかに記載の冷却庫。
【請求項５】
前記冷凍戻りダクトの底面の全体が奥側に向かって傾斜している請求項１から請求項３のいずれか位に記載の冷却庫。
【発明の詳細な説明】
【技術分野】
【０００１】
本発明は、物品を低温で保存する冷却庫に関するものである。
【背景技術】
【０００２】
冷却庫は、内部空間を、収納する物品を冷凍保存するための冷凍室と、物品を冷凍させることなく外気温よりも低い温度で保存するための冷蔵室とに仕切る断熱壁を有している。前記冷却庫の中には、上段に前記冷凍室を、下段に前記冷蔵室を備えている、いわゆる、トップフリーザ型の冷却庫がある。前記トップフリーザ型の冷却庫では、前記冷凍室の底面部（床面部）及び前記冷蔵室の上面部（天面部）が断熱壁で構成されている。
【０００３】
前記冷却庫では、送風装置（ファン等）を用いて、前記冷凍室及び前記冷蔵室のそれぞれに対応した温度の空気を、強制的に循環させて、内部の冷却を行っている。そして、前記冷却庫は、空気を循環させるため、前記断熱壁内に、前記冷凍室の内部を循環した空気（戻り空気）を蒸発器に戻す冷凍戻りダクト、前記冷却室の内部を循環した空気（戻り空気）を前記蒸発器に戻す冷蔵戻りダクトを備えている（例えば、特開２０１２−２３７５２０号公報等参照）。
【０００４】
例えば、前記冷凍戻りダクトでは、流入口が冷凍室の底面の手前側に設けられており、上方（冷凍室）に向かって開口している。そして、前記冷凍戻りダクトは、断熱壁の厚みの制限があるとともに空気を強制的に循環させていることから、前記流入口前記流入口の近傍で戻り空気の流れ方向を曲げる構成となっている。前記冷蔵戻りダクトも同様の構成を有しており、前記断熱壁に前記冷凍戻りダクト及び前記冷蔵戻りダクトを設けるので、無駄なスペースを無くすことができ、前記冷凍室及び前記冷蔵室を広くすることが可能である。
【先行技術文献】
【特許文献】
【０００５】
【特許文献１】特開２０１２−２３７５２０号公報
【発明の概要】
【発明が解決しようとする課題】
【０００６】
前記冷凍室で、水や飲料等の液体を冷凍する場合、冷凍用の容器に前記液体を入れ、前記容器ごと前記冷凍室に入れて冷凍する。トップフリーザ型の冷却庫では、前記容器に入れた前記液体が前記冷凍室内にこぼれると、前記冷凍戻りダクトに流入することがある。前記蒸発器の下部にはドレン水を排除するための排水部を備えているが、冷凍戻りダクトを流れる空気では流入した液体を押し流すのは困難であり、流入した液体は流入口の近傍に溜まる。
【０００７】
そして、前記冷凍戻りダクトには、前記冷凍室の空気が流入しているため前記冷凍戻りダクトに流入した液体は、前記冷凍戻りダクトの流入口の近傍で凍結する。前記冷凍戻りダクトの前記流入口の近傍で流入した液体が凍結すると、前記冷凍戻りダクトの流入口の近傍の断面積が狭くなり、流路抵抗が大きくなる。前記冷凍戻りダクトはその構造（流れ方向を変換する構造）上、流入口の近傍の流動抵抗が大きく、その部分で液体が凍りつくことでさらに流動抵抗大きくなり、戻り空気の戻りが悪くなる。すなわち、前記冷凍室の冷却効率が低下する。
【０００８】
そこで本発明は、冷凍室内に液体をこぼした場合でも、戻り空気の流れを妨害しにくく、冷却効率の低下を抑制することができる冷却庫を提供することを目的とする。
【課題を解決するための手段】
【０００９】
上記目的を達成するため本発明は、物品を低温保存する冷却庫であって、内部空間を上段の冷凍室と下段の冷蔵室との２つの空間に分割する断熱壁部と、前記冷凍室の奥側に設けられるとともに冷却器を収納する冷却器収納室と、前記断熱壁部に形成されているとともに手前側から奥側に伸び前記冷凍室を冷却した空気を前記冷却器収納室に戻す冷凍戻りダクトとを備え、前記冷凍戻りダクトは手前側の端部に前記断熱壁部の上面に開口した流入口を備えており、前記冷凍戻りダクトの底面の少なくとも前記流入口の下部が奥側に向かって下がるように傾斜していることを特徴とする。
【００１０】
このように構成することで、前記冷凍戻りダクトに水等の液体を流入させてしまった場合、流入口の近傍で液体が凍結するのを抑制することができる。これにより、戻り空気の流動抵抗が大きい流入口近傍で液体が凍結し、戻り空気の流れが悪くなるのを抑制することが可能である。また、使用者の目につきやすい流入口には水が溜まらないので、冷凍戻りダクトでの液体の凍結が視認されにくく、使用者が不安を感じにくい。
【００１１】
上記構成において、前記冷凍戻りダクトの前記流入口の下部は、前記流入口の前記冷却器収納室側の端部を中心として、前記流入口の前記冷凍戻りダクト奥行方向の長さを半径とした切断円管形状の曲面部を有していてもよい。
【００１２】
上記構成において、前記冷凍戻りダクトの前記流入口の下部は、平面状に形成された平面傾斜部を有していてもよい。
【００１３】
上記構成において、前記流入口には、複数のフィンが奥行方向に並んで配置されており、前記複数のフィンのうち、最も奥のフィンの下端部と前記最も奥のフィンの一つ手前のフィンの上端部とを結んだ面と前記冷凍戻りダクトの底面とが交差する部分が前記流入口の奥行方向の端部より奥まで到達しているとき、前記冷凍戻りダクトの底面は最も奥のフィンの下端部と前記最も奥のフィンの一つ手前のフィンの上端部とを結んだ面と前記冷凍戻りダクトの底面とが交差する部分まで傾斜していてもよい。
【００１４】
この構成によると、流入口から流入した戻り空気のうち、冷凍戻りダクトの底面に直接届く領域の奥まで液体を流すことができるので、冷凍戻りダクトで戻り空気の抵抗が大きい部分での液体の凍結を抑制することができる。これにより、戻り空気の流動抵抗の上昇を抑えることができる。また、使用者が視認できない領域に液体を流すことができるため、凍結した液体が使用者に視認されることがなく、使用者が不安を感じにくい。
【００１５】
上記構成において、前記冷凍戻りダクトの底面の全体が奥側に向かって傾斜していてもよい。この構成によると、多量の液体が前記冷凍戻りダクトに流入しても、その液体を冷却器収納室に流し、前記冷凍戻りダクトが凍結した液体で埋まるのを抑制することができる。
【発明の効果】
【００１６】
本発明によると、冷凍室内に液体をこぼした場合でも、戻り空気の流れを妨害しにくく、冷却効率の低下を抑制することができる冷却庫を提供することができる。
【図面の簡単な説明】
【００１７】
【図１】本発明にかかる冷却庫の一例の側断面図である。
【図２】冷却装置の概略配管図である。
【図３】本発明にかかる冷却庫に用いられる断熱壁の平面図である。
【図４】図３に示す断熱壁をＩＶ−ＩＶ線で切断した断面図である。
【図５】図３に示す断熱壁をＶ−Ｖ線で切断した断面図である。
【図６】断熱壁の冷凍戻りダクトの流入口の近傍を拡大した断面図である。
【図７】断熱壁の冷凍戻りダクトの流入口の近傍を拡大した断面図である。
【図８】断熱壁の冷凍戻りダクトの流入口の近傍を拡大した断面図である。
【図９】断熱壁の冷凍戻りダクトの流入口の近傍を拡大した断面図である。
【図１０】断熱壁の冷凍戻りダクトの流入口の近傍を拡大した断面図である。
【発明を実施するための形態】
【００１８】
以下に本発明の実施形態について図面を参照して説明する。図１は冷却庫の一例の側断面図である  図１に示すように、冷却庫Ｒｆは、正面が開口した筐体１と、筐体１の正面に開閉可能に取り付けられたドア２１、２２と、冷却装置３とを備えている。筐体１は、手前側が開いた凹形状の内部空間を備えており、内部空間を上段空間と下段空間とに仕切る断熱壁部４を備えている。なお、ドア２１が上段空間に対応するドアであり、ドア２２が下段空間に対応するドアである。
【００１９】
冷却庫Ｒｆにおいて、上段空間が物品を冷凍状態で保管するための冷凍室Ｒ１であり、下段空間が物品を外部よりも低温で保管するための冷蔵室Ｒ２である。冷却庫Ｒｆは、いわゆる、トップフリーザ型の冷却庫である。
【００２０】
筐体１の内部には、断熱体が配置されている。断熱体は、筐体１の外側と内側とで熱の移動を抑制する断熱部材であるとともに、筐体１の構造強度を保つための強度部材でもある。冷却庫Ｒｆにおいて、断熱体として、例えば、発泡ポリウレタン、発泡スチロール樹脂、発泡フェノール樹脂、発泡ユリア樹脂等を挙げることができる。断熱体の形成は、筐体１の壁体を中空に形成しておき、その中空の部分に発泡断熱材の原液を注入し、この空間内部で発泡充填する方法を挙げることができる。なお、詳細は省略するが、ドア２１、ドア２２も同様に中空の部分に断熱体を配置した構造を有している。
【００２１】
そして、筐体１の内部空間を冷凍室Ｒ１と冷蔵室Ｒ２とに仕切る断熱壁部４も、筐体１やドア２１、ドア２２と同様の断熱体を含む構成となっている。なお、筐体１、ドア２１、ドア２２及び断熱壁部４の冷凍室Ｒ１又は冷蔵室Ｒ２と面する部分は内壁が形成されている。この内壁は、主に食品を保管する空間を囲む壁となる部分であるとともに使用者が接触する部分でもあるため、衛生的に良好で接触しても違和感がない材料、例えば、ＡＢＳ、ＰＰ、ＰＳ等の樹脂で形成されている。なお、断熱壁部４の詳細については、後述する。
【００２２】
次に冷却装置３の詳細について新たな図面を参照して説明する。図２は冷却装置の概略配管図である。図２に示すように、冷却装置３は、圧縮機３１、凝縮器３２、キャピラリー管３３及び蒸発器３４（冷却器）を備えている。そして、冷却装置３はこの順番で環状に接続され、内部に冷媒を封入することで冷凍サイクルを構成している。
【００２３】
冷却装置３についてさらに説明する。冷却装置３は、封入された冷媒を気体と液体とで相変化させることで、冷熱を取り出すためのヒートポンプである。冷却装置３では、気体である冷媒は圧縮機３１で圧縮し、高温高圧のガス冷媒（気体）の状態で、凝縮器３２に送る。図１に示すように、冷却装置３の圧縮機３１は、冷却庫Ｒｆの下部の背面に設けられた機械室１１の内部に配置されている。
【００２４】
凝縮器３２は、冷媒の熱を冷却庫Ｒｆの外部に放出し（外部と熱交換し）、内部を流れる冷媒を気体から液体に変化させる（凝縮させる）機器である。近年の冷却庫では、筐体１の外面近くに冷媒の配管を配置し、その配管内を高温高圧の冷媒を流動させることで、冷却庫の外部の空気と冷媒との熱交換を行う凝縮器（いわゆる、壁面凝縮器）を備えているものが増えている。また、冷媒の熱を十分に取り除くため、凝縮器３２には、平行に並んで配置された複数枚のフィンと、フィンを貫通する配管とを備えるフィンアンドパイプ方式の熱交換器を備えていてもよい。
【００２５】
凝縮器３２で凝縮された冷媒は、キャピラリー管３３に送られる。キャピラリー管３３は、細管であり冷媒の流量を絞る絞りである。冷媒はキャピラリー管３３の出口から流出するとき急激に膨張する。このとき、冷媒は冷却されるとともに、霧状に変化（霧化）する。なお、霧状の冷媒は、液相である。そして、低温の霧状の冷媒は蒸発器３４に送られる。
【００２６】
冷媒は蒸発器３４で気化（蒸発）する。冷媒は気化するときに周囲から気化熱を奪う。この気化熱によって、蒸発器３４の表面は冷却される。冷却装置３は、蒸発器３４の周囲に発生する冷気（蒸発器を流れる冷媒によって吸収される気化熱）によって、冷却庫Ｒｆの内部空間を冷却する。
【００２７】
冷却装置３は、凝縮器３２が外部に熱を放出する機器であり、蒸発器３４が内部空間を冷却する機器である。また、圧縮機３１には、電力を供給するための装置等が必要である。そのため、図１に示すように、圧縮機３１は機械室１１の内部に配置されている。また、蒸発器３４は冷却庫Ｒｆの内部空間を冷却する機器であるため、冷凍室Ｒ１の奥に配置されている。蒸発器３４は表面が低温になり、操作者の手や物品が直接接触すると危険である。そのため、蒸発器３４は冷凍室Ｒ１の奥側の内壁の裏側に設けられた冷却器収納室Ｒ３に配置されている。
【００２８】
冷却庫Ｒｆには、蒸発器３４に近接して送風機３５が配置されている。送風機３５を動作することで、蒸発器３４の表面を流れる気流が発生する。そして、蒸発器３４の表面を気流が流れるとき、気流と内部の冷媒とが熱交換され、気流は低温の空気（冷気）となる。そして、この冷気を冷凍室Ｒ１内に送出することで、冷凍室Ｒ１が冷却される、すなわち、冷凍室Ｒ１の内部に収納された物品が冷凍される。
【００２９】
図３は本発明にかかる冷却庫に用いられる断熱壁の平面図であり、図４は図３に示す断熱壁をＩＶ−ＩＶ線で切断した断面図であり、図５は図３に示す断熱壁をＶ−Ｖ線で切断した断面図である。
【００３０】
図３、図４、図５に示すように、断熱壁部４は、断熱体４０を、上面カバー４０１と下面カバー４０２とで覆っている。そして、断熱壁部４は、ドレン水受け４１、通風ダクト４２、冷蔵戻りダクト４３及び冷凍戻りダクト４４を備えている。
【００３１】
図１等に示すように、ドレン水受け４１は蒸発器３１が配置される冷却器収納室Ｒ３の底面の一部を構成している。ドレン水受け４１は、蒸発器３４に付着した霜を融かして発生した水であるドレン水を受ける。そして、ドレン水受け４１は、ドレン水排水部４１１を備えており、ドレン水受け部４１の底面はドレン水排水部４１１に向かって傾斜している。このように傾斜していることで、ドレン水受け部４１に流入したドレン水はドレン水排水部４１１に向かって流れ、ドレン水排水部４１１から冷却庫Ｒｆの外部に排出する。なお、ドレン水の冷却庫Ｒｆ外への排出方法としては、例えば、圧縮機３１や凝縮器３２の熱を利用して蒸発させる方法を挙げることができるが、これに限定されない。
【００３２】
通風ダクト４２は、断熱壁部４を上下に貫通しており、冷却庫Ｒｆでは通風ダクト４２を介して冷却器収納室Ｒ３と冷蔵室Ｒ２とがつながっている。この通風ダクト４２を介して冷気を冷蔵室Ｒ２に送ることができる。なお、通風ダクト４２には、空気の流れを遮断するためのダンパ（不図示）が開閉可能に取り付けられており、必要に応じて（例えば、冷蔵室Ｒ２の温度に応じて）開閉し、冷気の流れを制御する。
【００３３】
冷蔵戻りダクト４３は断熱壁部４の内部に形成された貫通孔であり、手前側に下方に湾曲した風向変換部４３１を備えている。また、その風向変換部４３１の近傍には、断熱壁部４の下面に向かって開口し、戻り空気が流入する流入口４３２が形成されている。冷蔵戻りダクト４３の奥側は、冷却器収納室Ｒ３に接続している。また、下面カバー４０２の流入口４３２を覆う部分には、冷却庫Ｒ２内に保存している物品や使用者の手（指）等の進入を抑制するための流入格子４３３が形成されている。流入格子４３３は戻り空気は通過するが、物品や使用者の手（指）等の進入を抑制する形状を有している。
【００３４】
冷蔵室Ｒ２の内部を循環した空気である戻り空気は流入口４３２に対し所定の角度で流入する。その戻り空気は、風向変換部４３１を通過するとき、冷却庫Ｒｆの奥側に向かうように流れ方向が変換される。これにより、戻り空気は冷蔵戻りダクト４３に沿って流れ、冷却器収納室Ｒ３に流入する。風向変換部４３１は、流入口４３２から奥側に湾曲した曲面形状を有している。なお、風向変換部４３１の形状は、これに限定されるものではなく、少ない流動抵抗で戻り空気の風向を変換することができるものを広く採用することができる。
【００３５】
冷凍戻りダクト４４は断熱体４０の上面に設けられ、冷却庫の手前側から奥側に向かって延びる凹溝４４０と、凹溝４４０の手前側の端部に連設された風向変換部４４２とを有している。そして、凹溝４４０の上部を上面カバー４０１で覆い、冷蔵室Ｒ１に保管する物品が凹溝４４０、すなわち、冷凍戻りダクト４４に進入するのを抑制している。冷凍戻りダクト４４の手前側の端部、すなわち、風向変換部４４２の上部には、冷凍室Ｒ１を循環した戻り空気が流入する流入口４４１が形成されている。流入口４４１は上面カバー４０１に形成された長方形状の貫通孔であり、断熱壁部４の上面側に開口している。
【００３６】
風向変換部４４２は、曲面形状の底面を有している。なお、風向変換部４４２の形状の詳細については後述するが、少ない流動抵抗で戻り空気の風向を変換することができる形状である。冷凍戻りダクト４４は、流入口４４１から冷凍戻りダクト４４に物品や使用者の手（指）の進入を抑制するための流入格子４４３を備えている。なお、流入格子４４３は上面カバー４０１と一体に形成されているものを挙げることができるが、これに限定されるものではなく、例えば、着脱可能な構成のものであってもよい。
【００３７】
図３に示すように、冷却庫Ｒｆにおいて、断熱壁部４には冷凍戻りダクト４４が左右に２個設けられている。冷凍戻りダクト４４を２個形成することで、冷凍室Ｒ１内での冷気の流路を分けている。これにより、冷気を冷凍室Ｒ１の内部に広く分散させることができ、冷蔵室Ｒ１の内部の温度むら（部分的な温度のずれ）を抑制している。
【００３８】
冷却庫Ｒｆでは、送風機３５を動作させて蒸発器３４で発生した冷気を、冷凍室Ｒ１内に送り出す。この冷気は冷凍室Ｒ１内を循環し、冷凍室Ｒ１の内部の空気や収納物と熱交換したのち、戻り空気として冷凍戻りダクト４４を介して、冷却器収納室Ｒ３に戻る。この戻り空気は、冷凍室Ｒ１の内部の空気や収納物と熱交換しているため、温度が上昇しているが、冷蔵室Ｒ２を冷却するためには、十分に低温の空気である。この戻り空気を通風ダクト４２を介して冷蔵室Ｒ２に冷蔵室冷却用の空気として送り、冷蔵室Ｒ２内を循環させることで冷蔵室Ｒ２を冷却する。
【００３９】
上述のとおり、通風ダクト４２には開閉可能なダンパが配置されており、このダンパを開閉することで、冷蔵室Ｒ２に流入する冷蔵室冷却用の空気の流入量を調整し、冷蔵室Ｒ２内部の温度を制御している。
【００４０】
（第１実施形態）
本発明にかかる冷却庫の要部である冷凍戻りダクトについて図面を参照して説明する。図６は断熱壁の冷凍戻りダクトの流入口の近傍を拡大した断面図である。断熱壁部４の冷凍戻りダクト４４の流入口４４１は長方形状の開口であり、冷却庫Ｒｆの奥行方向の長さが長さＤである。また、冷凍戻りダクト４４の凹溝４４０の深さ（高さ）が深さＨ１であり、深さＨ１と流入口４４１の奥行方向の長さＤとが同じ寸法となっている。
【００４１】
図６に示すように、風向変換部４４２は、冷凍戻りダクト４４の手前側の端部から流入口４４１の奥側の端部に到達する領域に形成されている。風向変換部４４２は、流入口４４１の長方形状の冷却庫Ｒｆの奥側に配置された辺を中心軸とし、流入口４４１を９０°回転させた形状、すなわち、円柱を中心軸に沿って中心角度が９０°となるように切断した形状となっている。さらに説明すると、風向変換部４４２の底面は、半径Ｄの円管の一部となるような曲面であり、凹溝４４０の底面と滑らかに接続している。このような曲面形状を有することで、風向変換部４４２の底面は、接線が奥側に向かって下方に傾斜する形状となっている。
【００４２】
流入口４４１から流入する戻り空気は、風向変換部４４２に流入する。戻り空気は風向変換部４４２の曲面状の底面に衝突し、曲面に沿って奥側に流れる。このとき、戻り空気が曲面（滑らかな面）に沿って流れるため、戻り空気の流れ方向を変換するときの流動抵抗（圧力損失）を低減している。そして、風向変換部４４２は半径に沿って切断した断面積が流入口４４１の断面と同じ大きさあり、流路の面積の変化による流路抵抗（圧力損失）の増加を抑制できる。
【００４３】
流入口４４１から水等の液体が流入した場合、液体は風向変換部４４２に流入する。風向変換部４４２の底面が曲面状に形成されており、全ての箇所で奥に向かって下がる傾斜を有しているので、液体は曲面状の底面に沿って凹溝４４０まで流れる。これにより、風向変換部４４２の底部で液体が凍結するのを抑制し、冷凍戻りダクト４４の他の部分に比べ流動抵抗が高い風向変換部４４２での流動抵抗のさらなる上昇を抑制することが可能である。
【００４４】
なお、流入口４４１から流入した液体は、凹溝４４０で留まり、その部分で凍結する。凹溝４４０は直線状の凹部であるため、流入した液体が底面で凍結しても戻り空気の流動抵抗の上昇は少ない。
【００４５】
また、冷凍戻りダクト４４を流れる戻り空気は低温で湿度が低い気体である。そのため、冷凍戻りダクト４４内で、戻り空気に含まれる水分が凍結した液体上にさらに凍結し大きくなることはほとんどない。さらに、凹溝４４０の底面で凍結した液体は戻り空気にさらされることで昇華する。そのため、量にもよるが、冷凍戻りダクト４４の内部に流入した液体をそのまま放置しても、冷凍戻りダクト４４の流動抵抗が高くなりすぎたり、詰まってしまったりしにくい。また、流入口４４１から流入した液体は冷凍ダクト４４の流入口４４１よりも奥側に流れて凍結するため、使用者から視認されにくく、使用者に不信感を与えにくい。
【００４６】
本実施形態において、風向変換部４４２の底面の形状として円管形状の曲面を有しているものを挙げているが、これに限定されるものではなく、流入口４４１から流入した戻り空気の流動抵抗を抑制しつつ、流れ方向を奥側に変換することができる形状を広く採用することができる。
【００４７】
（第２実施形態）
本発明にかかる冷却庫の要部である冷凍戻りダクトの他の例について図面を参照して説明する。図７は断熱壁の冷凍戻りダクトの流入口の近傍を拡大した断面図である。図７に示す断熱壁では、冷凍戻りダクト４４ｂの風向変換部４５の形状が異なる以外は、第１実施形態に記載の断熱壁と同じ構成を有している。そのため、実質上同じ部分は同じ符号を付している。
【００４８】
冷凍戻りダクト４４ｂでは、凹溝４４０の深さが深さＨ２となっている。深さＨ２は流入口４４１の奥行方向の長さＤよりも大きく（深く）なっている。凹溝４４０の深さＨ２が長さＤよりも大きい場合、流入口４４１の奥側の辺を中心軸とした半径Ｄの円弧状の曲面は凹溝４４０の底面と接触しない。そこで、図７に示すように、冷凍戻りダクト４４ｂの風向変換部４５の底面は、手前側に設けられた曲面部４５１と、曲面部４５１の奥側と連続して形成された平面傾斜部４５２とを備えている。
【００４９】
冷凍戻りダクト４４ｂにおいて、風向変換部４５の曲面部４５１は流入口４４１の奥側の辺を軸とし、半径Ｄの断面円弧状の曲面である。そして、平面傾斜部４５２は曲面部４５１と平滑に接しており平面であり、平面傾斜部４５２は凹溝４４０の底面の手前側の端部と平滑に接するように形成されている。つまり、平面傾斜部４５２は手前側の端部は曲面部４５１と平滑に接続しているとともに、奥側の端部は凹溝４４０の底面と平滑に接続している。そして、平面傾斜部４５２は凹溝４４０の底面に対してθ°傾斜（傾斜角θ°とする）している。
【００５０】
このように、風向変換部４５が曲面部４５１と平面傾斜部４５２とを備えていることで、冷流入口４４１の奥行方向の長さＤよりも凹溝４４０の深さＨ２が大きい場合でも、風向変換部４５で戻り空気の流れ方向を流動抵抗を抑えて奥向きに向けることができる。また、曲面部４５１及び平面傾斜部４５２ともに奥に向かって下方に行くように傾斜しているため、冷凍戻りダクト４４ｂに流入した液体は、凹溝４４０まで流れるため、凍結してしまったとしても流動抵抗の増加を抑制することが可能である。
【００５１】
平面傾斜部４５２の傾斜角θ°は、液体が流れる角度であれば特に限定されるものではない。本発明の発明者は傾斜角θ°として４°以上あればよいとの知見を得ている。そのため、本発明では、平面傾斜部４５２が平面のとき、傾斜角θ°は４°以上であることが好ましい。また、あまり傾斜角の角度が大きいと、断熱壁部４が厚くなる。そのため、傾斜角θ°は１０°以下であることが好ましい。
【００５２】
本実施形態において、凹溝４４０の深さＨ２が流入口４４１の奥行方向の長さＤよりも大きい構成であるため、平面傾斜部４５２は曲面部４５１と接続する部分で、曲面部４５１の接線方向に延びるように形成することも可能である。このように形成することで、曲面部４５１と平面傾斜部４５２との接続部分の変化が少なくなるので、戻り空気の流動抵抗が小さくなる。また、流入した液体も奥側に流れやすくなる。また、本実施形態において、平面傾斜部４５２は平面としているが、これに限定されるものではなく、全体が曲面状に形成されていてもよいし、曲面部４５１及び凹溝４４０の底面と接続する部分だけ曲面状に形成し、それぞれの部分と滑らかに接続するようにしてもよい。
【００５３】
なお、本実施形態では、便宜上、ものとしているが、これに限定されるものではない。深さＨ２と長さＤとが同じ場合でも、手前側が曲面部４５１で奥側が平面傾斜部４５２となるように風向変換部４５を作成してもよい。
【００５４】
これ以外の特徴は、第１実施形態と同じである。
【００５５】
（第３実施形態）
本発明にかかる冷却庫の要部である冷凍戻りダクトの他の例について図面を参照して説明する。図８は断熱壁の冷凍戻りダクトの流入口の近傍を拡大した断面図である。図８に示す断熱壁では、冷凍戻りダクト４４ｃの流入格子４６の形状が異なる以外は、第２実施形態に記載の断熱壁と同じ構成を有している。そのため、実質上同じ部分は同じ符号を付している。
【００５６】
冷凍戻りダクト４４ｃには、流入口４４１から冷凍保管している物品や使用者の手（指）が侵入するのを防ぐための流入格子４６が備えられている。図８に示すように流入格子４６は、正面側が下に傾斜したフィン４６１が冷却庫Ｒｆの奥行方向に平行に並んで配置（並列配置）されている。図８に示す冷凍戻りダクト４４ｃの流入格子４６では、４枚のフィン４６１が冷却庫Ｒｆの奥行方向に、間隔Ｔずつ離れて配置されている。
【００５７】
冷凍戻りダクト４４ｃの風向変換部４５の平面傾斜部４５２は、流入口４４１の奥側の端部の辺よりも奥側で、凹溝４４０の底部と接続している。平面傾斜部４５２と凹溝４４０の底部とは、４枚のフィン４６１のうち最も奥側にあるフィン４６１１の下端部と、フィン４６１１の一つ手前のフィン４６１２の上端部とを結んだ平面と、凹溝４４０の底面とが交差する部分Ｐで接続している。冷凍室Ｒ１をドア２１側から見る場合、フィン４６１１の下端部と、フィン４６１２の上端部とを結んだ直線が冷凍戻りダクト４４ｃの最も奥まで届く視線となる。平面傾斜部４５２と凹溝４４０の底部との接続部が、その視線が届く範囲の端部に形成されることで、冷凍戻りダクト４４ｃに流入した液体は、使用者から見えない範囲に流れる。これにより、冷凍戻りダクト４４ｃの内部に凍結した液体の視認による、使用者が不安を感じるのを抑制することが可能である。
【００５８】
なお、冷凍戻りダクト４４ｃでは、平面傾斜部４５２と凹溝４４０の底部との接続部が最も奥側にあるフィン４６１１の下端部と、一つ手前のフィン４６１２の上端部とを結んだ直線と、凹溝４４０の底面とが交差する部分で接続している部分となっているが、これに限定されない。接続部がさらに奥に形成されていてもよい。なお、平面傾斜部４５２の傾斜角θ°が予め決められた角度よりも小さくなる場合、平面傾斜部４５２と凹溝４４０との接続部が手前になっても構わないが、接続部は必ず流入口４４０の最も奥側の部分よりも奥側としている。
【００５９】
これ以外の特徴は、第２実施形と同じである。
【００６０】
（第４実施形態）
本発明にかかる冷却庫の要部である冷凍戻りダクトの他の例について図面を参照して説明する。図９は断熱壁の冷凍戻りダクトの流入口の近傍を拡大した断面図である。図９に示す断熱壁では、冷凍戻りダクト４４ｄの流入格子４７が異なる以外は、第３実施形態に記載の断熱壁と同じ構成を有している。そのため、実質上同じ部分は同じ符号を付している。
【００６１】
図９に示す冷凍戻りダクト４４ｄの流入格子４７は、６個のフィン４７１が並んで配置されている。冷凍戻りダクト４４ｄでは、最も奥のフィン４７１１の下端部とフィン４７１１の一つ手前のフィン４７１２の上端部を結んだ線の凹溝４４０の底面とが、流入口４４１の下部で交差する。このような構成の場合、正面側からの使用者の視線は流入格子４７で遮られる。しかしながら、戻り空気の流れの流動抵抗を低減するため、風向変換部４５の平面傾斜部４５２と凹部４４０の底面との接続部は、流入口４４１の最も奥の部分と重なる又はそれよりも奥になるように形成されている。
【００６２】
このように形成された冷凍戻りダクト４４ｄを備えることで、冷凍室Ｒ１の戻り空気の流動抵抗を抑制しつつ流れ方向を変換するとともに、冷凍戻りダクト４４ｄに凍結した液体によって使用者が不安を感じるのを抑制できる。なお、本実施形態の冷凍戻りダクト４４ｄでは、曲面部４５１と平面傾斜部４５２を備えた風向変換部４５を採用しているが、曲面部だけで形成される風向変換部４４２を採用してもよい。
【００６３】
これ以外の特徴は、第３実施形態と同じである。
【００６４】
（第５実施形態）
本発明にかかる冷却庫の要部である冷凍戻りダクトの他の例について図面を参照して説明する。図１０は断熱壁の冷凍戻りダクトの流入口の近傍を拡大した断面図である。図１０に示す断熱壁では、冷凍戻りダクト４４ｅの凹溝４８が異なる以外は、第１実施形態に記載の断熱壁と同じ構成を有している。そのため、実質上同じ部分は同じ符号を付している。
【００６５】
図１０に示すように、冷凍戻りダクト４４ｅの凹溝４８の底面４８１は、冷却庫Ｒｆの奥側に向かって下方に傾斜している。このように傾斜していることで、冷凍戻りダクト４４ｅに多量の液体が流入した場合でも、流入した液体を確実にドレン水受け部４１に流すことができる。これにより、多量の液体が冷凍戻りダクト４４ｅに流入しても、冷凍戻りダクト４４ｅないで、液体が凍結し、冷凍戻りダクト４４ｅを流れる戻り空気の流動抵抗の上昇を抑制することができる。
【００６６】
なお、冷凍戻りダクト４４ｅにおいて、凹溝４８は底面４８１の全体が傾斜した構成となっているが、これに限定されるものではなく、手前側は水平で奥側が下方に傾斜するようになっていてもよい。冷凍戻りダクト４４ｅに液体が流入すると、風向変換部４４２で戻り空気と同様に奥向きに流れる。そのため、少なくとも液体の流れが停止する部分よりも手前の部分から底面４８１が傾斜するようにすることで、液体が凹溝４８の内部に溜まらないようにすることが可能である。
【００６７】
これ以外の特徴は、第１実施形態から第４実施形態に示す特徴と同じである。
【００６８】
以上、本発明の実施形態について説明したが、本発明はこの内容に限定されるものではない。また本発明の実施形態は、発明の趣旨を逸脱しない限り、種々の改変を加えることが可能である。
【符号の説明】
【００６９】
１  筐体
２１、２２  ドア
３  冷却装置
３１  圧縮機
３２  凝縮器
３３  キャピラリー管
３４  蒸発器（冷却器）
４  断熱壁部
４１  ドレン水受け
４２  通風ダクト
４３  冷蔵戻りダクト
４４、４４ｂ〜４４ｅ  冷凍戻りダクト
４４０  凹溝
４４１  流入口
４４２        風向変換部
４４３  流入格子
４５  風向変換部
４５１  曲面部
４５２  平面傾斜部
４６  流入格子
４６１  フィン
【図１】
2015161450.tif 000003
【図２】
2015161450.tif 000004
【図３】
2015161450.tif 000005
【図４】
2015161450.tif 000006
【図５】
2015161450.tif 000007
【図６】
2015161450.tif 000008
【図７】
2015161450.tif 000009
【図８】
2015161450.tif 000010
【図９】
2015161450.tif 000011
【図１０】
2015161450.tif 000012